(57)【特許請求の範囲】
【請求項１】
少なくともウエブ、上フランジを有する複数の型鋼からなる構造材に対し、直交状に延在するように複数の支持材が取り付けられ、隣り合う支持材間に天井化粧材が取り付けられた天井化粧構造であって、
前記支持材は、取付状態において前記型鋼の上フランジに固定された取付具に取り付けられる上方横片部と、該上方横片部から下方へ延在する縦片部と、該縦片部の下端から前記型鋼の長さ方向に延在する下方横片部とを有し、
前記天井化粧材は、下面側が化粧面となる化粧面部と、該化粧面部の左右からそれぞれ下方へ延在して少なくとも取付状態では前記支持材の下方横片部の上方に配置させる押し込み片部と、該押し込み片部の下端に延設される嵌合部と、を有し、
それぞれの前記型鋼の上フランジには取付具が固定され、該取付具には前記支持材が取り付けられ、隣り合う前記支持材の下方横片部間に、前記天井化粧材を配置させることにより、前記嵌合部を前記支持材の下方横片部に弾性的に嵌合させてなることを特徴とする天井化粧構造。
【請求項２】
取付具は、型鋼の上フランジに取り付けられる連結部を備えると共に支持材が取り付けられる延在部を有することを特徴とする請求項１に記載の天井化粧構造。
【請求項３】
天井化粧材は、化粧面部の前端及び後端が折り上げられていることを特徴とする請求項１又は２に記載の天井化粧構造。
【請求項４】
天井化粧材は、嵌合部の下端に下方へ延在する固定部を有することを特徴とする請求項１〜３の何れか一項に記載の天井化粧構造。
【発明の詳細な説明】
【技術分野】
【０００１】
本発明は、屋根の骨組として用いられる鋼材（屋根母屋）などを室内側から覆って天井美観を損なうことがなく、しかも天井化粧材を天井方向へ押し込む等の簡易な操作にて容易に取り付けることができる天井化粧構造に関する。
【背景技術】
【０００２】
従来の大型構造物として、Ｈ型鋼や溝形鋼等からなる屋根母屋の上にスレート屋根や折板屋根、或いはコンクリート屋根等を構築し、室内側には前記屋根母屋や屋根材等が露出する構造のものが知られている。
例えば特許文献１には、屋根母屋を構成する梁部材１の上フランジ１１に、弾性的に取り付けられる挟持片５１を備える固定具５を用いて支持部材４を一体的に固定し、該支持部材４に天井板８を取り付けた構造が提案されている。
また、特許文献２には、Ｈ形鋼等の天井梁材１の下フランジ１ｂに己字形の金物３を取り付け、隣り合う金物３，３間に天井材２を挟持固定する構造が提案されている。
さらに、特許文献３には、Ｈ形鋼の上フランジに取り付けられた金具１０，１０間に横材２０を架設し、横材に天井板２１を固定する構造が提案されている。
【先行技術文献】
【特許文献】
【０００３】
【特許文献１】特開平１１−１５２８４６号公報
【特許文献２】実開平６−１５３５号公報
【特許文献３】特開２００９−１３８４４５号公報
【発明の開示】
【発明が解決しようとする課題】
【０００４】
しかしながら、前記特許文献１，２は、型鋼のフランジに取り付けた金具（固定具５，金物３）の「横溝」に天井材（天井板８，天井材２）を差し込んでいる点で共通するが、差し込みで行われるため、天井材端部の破損が生じやすいという問題があった。また、天井材の厚みや材質によって異なる金具を用意しなければならず、管理が面倒であった。
また、前記特許文献３では、横材２０に対してビス等で固定するため作業性が悪いという問題があった。
【０００５】
そこで、本発明は、屋根の骨組として用いられる鋼材（屋根母屋）などを室内側から覆って天井美観を損なうことがなく、しかも天井化粧材を天井方向へ押し込む等の簡易な操作にて容易に取り付けることができる天井化粧構造を提案することを目的とする。
【課題を解決するための手段】
【０００６】
本発明は、上記に鑑み提案されたものであって、少なくともウエブ、上フランジを有する複数の型鋼からなる構造材に対し、直交状に延在するように複数の支持材が取り付けられ、隣り合う支持材間に天井化粧材が取り付けられた天井化粧構造であって、前記支持材は、取付状態において前記型鋼の上フランジに固定された取付具に取り付けられる上方横片部と、該上方横片部から下方へ延在する縦片部と、該縦片部の下端から前記型鋼の長さ方向に延在する下方横片部とを有し、前記天井化粧材は、下面側が化粧面となる化粧面部と、該化粧面部の左右からそれぞれ下方へ延在して少なくとも取付状態では前記支持材の下方横片部の上方に配置される押し込み片部と、該押し込み片部の下端に延設される嵌合部と、を有し、それぞれの前記型鋼の上フランジには取付具が固定され、該支持具には前記支持材が取り付けられ、隣り合う前記支持材の下方横片部間に、前記天井化粧材を配置させることにより、前記嵌合部を前記支持材の下方横片部に弾性的に嵌合させてなることを特徴とする天井化粧構造を提案するものである。
【０００７】
また、本発明は、前記天井化粧構造において、取付具は、型鋼の上フランジに取り付けられる連結部を備えると共に支持材が取り付けられる延在部を有することを特徴とする天井化粧構造をも提案する。
【０００８】
また、本発明は、前記天井化粧構造において、天井化粧材は、化粧面部の前端及び後端が折り上げられている天井化粧構造をも提案する。
【０００９】
また、本発明は、前記天井化粧構造において、天井化粧材は、嵌合部の下端に下方へ延在する固定部を有する天井化粧構造をも提案する。
【発明の効果】
【００１０】
本発明の天井化粧構造は、ウエブ、上フランジを有する複数の型鋼からなる構造材に対して適宜に取付具を固定することにより直交状に支持材を取り付けることができ、該隣り合う支持材間に天井化粧材を取り付けた構成である。
したがって、この天井化粧構造では、天井化粧材の化粧面部に、予め或いは施工時に各種の天井板や落下防止板等を載置させた状態で容易に固定することができるため、化粧面板部に載置させる天井板自体又は落下防止板自体には殆ど制限がなく、例えば天井板自体に成形誤差等があっても適用することができる。
【００１１】
また、取付具は、型鋼の上フランジに取り付けられる連結部を備えると共に支持材が取り付けられる延在部を有する場合には、天井化粧材を支持する支持材の取付箇所をこの取付具にて型鋼に形成することができる。
【００１２】
また、天井仕上げ材は、化粧面部の前端及び後端が折り上げられている場合には、化粧面部の曲げ強度が高いものとなり、形状安定性も高いものとなる。
【００１３】
また、天井化粧材は、嵌合部の下端に下方へ延在する固定部を有する場合には、嵌合部の固定がより強固に且つ確実なものとなる。
【図面の簡単な説明】
【００１４】
【図１】（ａ）本発明の第１実施例における天井化粧構造を示す正断面図、（ｂ）Ｂ−Ｂ線における側断面図である。
【図２】（ａ）第１実施例において、Ｈ型鋼の上面側の屋根構造を省略して示したものであり、Ｈ型鋼の上フランジに第１取付具及び支持材を取り付けた状態を示す斜視図、（ｂ）隣り合う支持材間に天井化粧材を取り付けた状態を示す斜視図である。
【図３】（ａ）本発明の第２実施例における天井化粧構造を示す正断面図、（ｂ）Ｂ−Ｂ線における側断面図である。
【図４】（ａ）第２実施例において、溝型鋼の上面側の屋根構造を省略して示したものであり、溝型鋼の上フランジに第２取付具及び支持材を取り付けた状態を示す斜視図、（ｂ）隣り合う支持材間に天井化粧材を取り付けた状態を示す斜視図である。
【図５】第２実施例において、溝型鋼の上フランジに第２取付具及び第３取付具を取り付けた状態を示す室内側から見上げた斜視図である。
【発明を実施するための形態】
【００１５】
本発明の天井化粧構造は、少なくともウエブ、上フランジを有する複数の型鋼からなる構造材に対し、直交状に延在するように複数の支持材が取り付けられ、隣り合う支持材間に天井化粧材が取り付けられたものであるが、型鋼の上フランジには適宜取付具が固定されているので、容易に支持材を（更にその後の天井化粧材も容易に）取り付けることができる。
【００１６】
前記支持材の取付対象である型鋼は、少なくともウエブ、上フランジを有するものであればよく、具体的には左右両方に上フランジを備えるＨ型鋼、Ｉ型鋼、左右の何れか一方のみに上フランジを備える溝型鋼、Ｚ型鋼等が相当する。
なお、これらの型鋼は、同じ型鋼の上フランジが同一方向に延在するように配設して構造材を形成していることが多いが、一部には異なる型鋼を組み合わせて用いていることもあるので、これらのケースを想定して高さレベルを統一して配設されている上フランジを本発明における支持材の取付部位（＝取付具を介して取り付けられる部位）とした。
【００１７】
前記取付具は、前述のように取付状態において型鋼の上フランジに取り付けられるものであり、前述のように異なる型鋼を組み合わせて用いるケースもあるので、複数種類の取付具を用いる場合もある。例えば後述する図示実施例では、Ｈ型鋼の上フランジに対して第１取付具を取り付け、溝型鋼の上フランジに対して第２取付具又は第３取付具を取り付けるようにしている。上フランジへの取付態様は、嵌合、係合、挟着等どのような手法（構成）を用いてもよい。なお、用いる取付具は、単一部材からなるものでも複数部材からなるものでもよく、特に複数部材からなる場合にはそれらをビス等で一体化させると共に支持材と連結するものが好ましい。
【００１８】
前記支持材は、取付状態において前記型鋼の上フランジに取り付けられた取付具に取り付けられる上方横片部と、該上方横片部から下方へ延在する縦片部と、該縦片部の下端から前記型鋼の長さ方向に延在する下方横片部とを有する。
なお、後述する図示実施例では、この支持材を、左右対称のハット状に成型した連続材を用いているが、それに限定されるものではなく、例えばユ型状に成形した連続材でもよい。即ちハット状の支持材では、縦片部として対向状の二面が存在し、各縦片部の下端にそれぞれ外側へ延在する下方横片部が形成される構成であり、取付具に対して「回転」で配設でき、その状態で仮設が行え、作業が容易であるという利点を有する。ユ型状の支持材では、縦片部は一面であって、その下端に左右に延在する下方横片部が形成される構成である。
【００１９】
前記天井化粧材は、下面側が化粧面となる化粧面部と、該化粧面部の左右からそれぞれ下方へ延在して少なくとも取付状態では前記支持材の下方横片部の上方に配置される押し込み片部と、該押し込み片部の下端に延設される嵌合部と、を有する構成である。
この天井化粧材は、前述のように隣り合う支持材の下方横片部間に取り付けられるものであるから、前記支持材の縦片部及び下方横片部を左右対称状に成型した形状のものを用いた場合には、後述する図示実施例のように左右対称状の部材として成形することができる。この場合には、部材の生産に関しても取付作業（取付方向の誤りを生じない）においても利点が大きいものとなる。
【００２０】
そして、本発明の天井化粧構造は、それぞれの型鋼に前記取付具を介して前記支持材を取り付け、隣り合う前記支持材の下方横片部間に、前記天井化粧材を配置させることにより、前記嵌合部を前記支持材の下方横片部に弾性的に嵌合させてなることを特徴とする。
【００２１】
以下、本発明の天井化粧構造に用いる取付具、支持材及び天井化粧材について、さらに詳細に説明する。
【００２２】
前記取付具は、前述のように取付状態において型鋼の上フランジに取り付けられるものであって、型鋼に応じて複数種類の取付具を用いる場合もある。
後述する図示実施例の第１取付具は、Ｈ型鋼の上フランジを対象部位とし、この上フランジは厚みが均一であることが多いので、当該上フランジの上面側と下面側にそれぞれ沿うように添設片を臨ませ、その基端をビス止めすることにより、Ｈ型鋼に挟着状に取り付ける態様（連結部）とし、更にその外側には横片状の延在部を設けている。
また、後述する図示実施例の第２取付具は、溝型鋼の上フランジを対象部位とし、この上フランジは先端が薄肉になっていることが多いので、当該上フランジの先端に引っ掛けた片とウエブに沿わせた片とをビス止めして一体化させることにより、溝型鋼に係合状に取り付ける態様（連結部）とし、更にその外側には横片状の延在部を設けている。
さらに、後述する図示実施例の第３取付具は、溝型鋼の上フランジを対象部位とし、前記第２取付具における「当該上フランジの先端に引っ掛けた片」に代えて水平片に非重合片を有する添設片を組み付けて当該上フランジを挟む構成とした。
【００２３】
前記支持材は、前述のように取付状態において構造材を形成する型鋼の上フランジに取り付けられた取付具に取り付けられる上方横片部と、該上方横片部から下方へ延在する縦片部と、該縦片部の下端から前記型鋼の長さ方向に延在する下方横片部とを有する構成であって、それぞれの型鋼に直交状に延在するように取り付けられるものである。この支持材は、隣り合う型鋼にそれぞれ取り付けられた取付具間に亘って取り付けられ、型鋼と共に井型状の天井支持構造を構築するものである。
【００２４】
前記上方横片部は、前述のように前記取付具を介して前記型鋼の上フランジに取り付けられるものであり、前述のように異なる型鋼に応じてそれぞれ異なる取付具を用いるケースもあるが、前記取付具の延在部と固定される横片を指す。
なお、前記ハット型の支持材では、後述する図示実施例のように前記取付具の横片状の延在部に跨がるように配してその上方横片部を延在部に重合させて固定している。
【００２５】
前記縦片部は、前述のように前記上方横片部から下方へ延在するものであり、前記ハット状の支持材では対向状の二面が縦片部として存在し、前記ユ型状の支持材では一面のみが縦片部として存在する。
なお、特にハット型の支持材では、二面の縦片部の対向間隔が上方横片部の幅に相当するが、当該幅より僅かに小さく前記取付具の横幅を設定すれば、後述する図示実施例のように作業性にも優れた構成となるため、好ましい。
【００２６】
前記下方横片部は、前述のように前記縦片部の下端から前記型鋼の長さ方向に延在するものである。ハット状の支持材では、各縦片部の下端にそれぞれ外側へ延在する下方横片部が形成され、ユ型状の支持材では、一面の縦片部の下端に左右に延在する下方横片部が形成される。
この下方横片部は、天井化粧材が取り付けられる部位であるから、後述する図示実施例のようにその先端が（リップ状に）上方へ折り曲げられていることが支持材自体の強度面でも、後述する天井化粧材の取付安定性の点でも好ましい。
【００２７】
前記天井化粧材は、前述のように下面側が化粧面となる化粧面部と、該化粧面部の左右からそれぞれ下方へ延在して少なくとも取付状態では前記支持材の下方横片部の上方に配置される押し込み片部と、該押し込み片部の下端に設けられる嵌合部と、を有するものである。
この天井化粧材は、前記支持材の長さ方向に連続する長尺状でもよいが、所定長さを有する定尺材を複数並列状に配設するものでもよく、意匠性を継続的に維持でき、前述の挙動を可能とする材料であれば、例えば金属板や硬質樹脂板等の単一材料にて構成されるものでもよいし、例えば金網状の材料にボード状の材料を組み合わせた複数材料にて構成されるものでもよい。なお、前記金属板等に強度の向上を目的としてボード状の材料を組み合わせてもよいが、以降の複数材料にて構成される態様としては、金網状材料とボード状材料とを組み合わせたものとする。
【００２８】
前記天井化粧材が前記金網状材料とボード状材料を組み合わせた複数材料にて構成される態様は、この天井化粧材の部位やこの天井化粧材が必要とする特性を何れか一方に全て負担させるのではなく、各材料に分担させる態様ということもできる。
化粧面部は、専らボード状材料に任せることにより強度を向上することができ、押し込み片部や嵌合部は、専ら金網状材料に任せるようにすればよい。言い換えれば、ボード状材料としては、化粧面部として必要な特性を有するものであれば、特にその材質を限定するものではなく、金網状材料としては、押し込み片部や嵌合部として必要な特性を有するものであれば、特にその材質を限定するものではない。
【００２９】
前記化粧面部は、前述のように前記支持材間に亘る部位であって、後述する図示実施例では側面視が略平坦状（略水平状）に成形されているが、特にその形状について限定するものではない。
また、この化粧面部は、屋根面等の修復又は改修作業に際し、各種の金具類や破片物等の不慮の落下物をも受支することができることが望ましいので、例えばパンチングメタルや金属製メッシュ材などの金網状材料をこの天井化粧材の材料とするケースにおいても、金網状材料を単一材料の天井化粧材とする場合には、その孔部は部材等が通過しにくいものとすればよく、金網状材料を複数材料の一つとして用いる場合には、本質的にこの化粧面部を担当するボード状材料が部材等の通過を阻止するので、前記金網状材料の孔部には制限はなくどのようなものでもよい。
【００３０】
また、前記天井化粧材の化粧面部の前端及び後端は、折り上げられていることが望ましい。即ちその場合には化粧面部の曲げ強度が高くなり、形状安定性も高くなるので、落下物を受支する強度も高いものとなる。なお、複数材料の金網状材料を、この化粧面部の補助として用い、その前端及び後端を折り上げ、その折り上げ片間にボード状材料を保持するようにしてもよい。
【００３１】
前記押し込み片部は、前述のように前記化粧面部の左右からそれぞれ下方へ延在して少なくとも取付状態では前記支持材の下方横片部の上方に配置される部位であって、その下端には嵌合部が設けられる。
なお、「取付状態では前記支持材の下方横片部の上方に配置される」という状態は、取付時の挙動を制限するものではなく（押し込みという操作に限定しない）、例えば弾性に抗して押し込み、縮幅状に変形させて取り付けるようにしてもよいが、結果として、左右の押し込み片部がそれぞれ支持材の下方横片部の上方に配置されるものであればよい。
【００３２】
前記化粧面部にて説明したように、屋根面等の修復又は改修作業に際し、各種の金具類や破片物等の不慮の落下物を受支する特性は、前記化粧面部だけに留まらず、この押し込み片部にも備えられていることが好ましい。
したがって、パンチングメタルや金属製メッシュ材を単一材料の天井化粧材とする場合や、複合材料の金網状材料として用いる場合にも、その孔部は部材等が通過しにくいものが望ましい。
【００３３】
この押し込み片部の形状は、どのように形成してもよいし、特に限定するものではないが、その下端に設けられる嵌合部は、前記支持材の下方横片部の先端に外側から係合するものであるから、押し込み片部の下端が最も外側へ拡開していることが望ましい。
【００３４】
また、嵌合部の形状も、前記支持材の下方横片部の構成によって適宜に設定すればよいが、リップ（上向き片）を備えない下方横片部に対しては下方横片部に沿う横片の前端を折り返した形状に形成すればよいし、リップを備える下方横片部に対しては下方横片部及びリップに沿うＬ字状に形成すればよい。
【００３５】
なお、前記嵌合部の下端には、下方へ延在する固定部を設けるようにしてもよい。即ち該固定部にビス等の固着具を打ち込むことにより、嵌合部の固定はより強固に且つ確実なものとなる。
【００３６】
これらの取付具、支持材、及び天井化粧材より構成される本発明の天井化粧構造は、型鋼の上フランジに適宜取付具が固定され、該取付具に支持材が取り付けられ、隣り合う支持材間に天井化粧材を配設した構成である。そして、この天井化粧構造では、天井化粧材の化粧面部に、予め或いは施工時に各種の天井板や落下防止板等を載置させた状態で容易に固定することができるため、化粧面板部に載置させる天井板自体又は落下防止板自体には殆ど制限がなく、例えば天井板自体に成形誤差等があっても適用することができる。
【実施例１】
【００３７】
図１（ａ）に示す本発明の第１実施例の天井化粧構造は、ウエブ４１、上フランジ４２を有するＨ型鋼４Ａに対して第１取付具３Ａを取り付け、隣り合う第１取付具３Ａ，３Ａ間に断面ハット型の支持材２を取り付け、隣り合う支持材２，２間に天井化粧材１を取り付けた構成である。
なお、図１（ｂ）の右側には前記Ｈ型鋼４Ａに代えてウエブ４１ｂ、上フランジ４２ｂを有する溝型鋼４Ｂを用いた部分を示しており、該溝型鋼４Ｂの上フランジ４２ｂに対して第２取付具３Ｂを取り付け、該第２取付具３Ｂに支持材２を取り付け、隣り合う支持材２，２間に天井化粧材１を取り付けている。
【００３８】
前記Ｈ型鋼４Ａは、図１（ａ）に示すように横方向（桁行方向）に連続する構造材であって、縦方向に配されるウエブ４１の上端に上フランジ４２を有する構成であり、その上面には、角波状に連続するタイトフレーム５が固定され、更にその上面には裏面側に裏打ち材６ｂが配された外装材６Ａが配設されている。
前記溝型鋼４Ｂは、図１（ｂ）右端に示すように部分的に取り付けられたコ字状の構造材であって、縦方向に配されるウエブ４１ｂの上端に上フランジ４２ｂを有する構成であって、前記Ｈ型鋼４Ａと同様にその上面にはタイトフレーム５や外装材６Ａ等が配設されている。
【００３９】
前記Ｈ型鋼４Ａに取り付ける第１取付具３Ａは、断面横ｈ字状のピース材であって、側方が開放する横溝状の連結部３１と、逆の側方へ延在する延在部３２とを有し、前記連結部３１の基端付近に配されて横溝間隔を狭める締着具（ボルト，ナット）３３を締め付けて略平坦状の上フランジ４２に固定する構成である。なお、延在部３２は、支持材２を取り付ける部位である。
この構成の第１取付具３Ａを前記Ｈ型鋼４Ａに取り付けるには、横溝状の連結部３１に上フランジ４２を差し込む、即ち連結部３１を形成する上側の添設片を上フランジ４２の上面に、下側の添設片を上フランジの下面に沿わせるように挿着させた状態でその基端付近を締着具３３で締め付けて一体的に固定する。
【００４０】
前記溝型鋼４Ｂに取り付ける第２取付具３Ｂは、先端（３５１）が折り返し状に折曲されたつ字状の上方片３５と、略Ｌ字状に折曲された下方片３６と、を接続具（ボルト，ナット）３７にて接続してなり、先端が薄肉状の上フランジ４２ｂに固定する構成であって、前記上方片３５の後端付近が延在部３５２である。なお、延在部３５２は、支持材２を取り付ける部位である。
この構成の第２取付具３Ｂを前記溝型鋼４Ｂに取り付けるには、接続具３７を緩めた状態で、上方片３５の先端の係合部３５１を上フランジ４２ｂの先端に引っ掛け状に係合させると共に下方片３６の縦片をウエブ４１ｂに沿わせ、接続部３７を締め付けることにより一体的に固定する。
【００４１】
前記支持材２は、前記Ｈ型鋼４Ａ，溝型鋼４Ｂに対して直交状に延在するように前記取付具３Ａ，３Ｂに取り付けられるものであって、前記第１取付具３Ａの延在部３２や前記第２取付具３Ｂの延在部３５２に対して取り付けられる上方横片部２１と、該上方横片部２１から下方へ延在する縦片部２２，２２と、該縦片部２２，２２の下端から前記Ｈ型鋼４Ａの長さ方向に延在する下方横片部２３，２３とを有する。
図示実施例の支持材２では、下方横片部２３，２３の先端に上向き片２３１，２３１が延設されている。
【００４２】
前記上方横片部２１は、ハット状の頂面に相当する部位であって、延在部３２，３５２にこの支持材２を跨るように配設した際には、延在部３２，３５２の上面側に配される部位であり、固着具（ボルト、ナット）２ｂにて一体的に固定する。
なお、この支持材２の配設については、配置位置の上方に空間があれば延在部３２，３５２に対して上方に臨ませた支持材２を嵌合状に配置すればよいが、そのような空間がない場合には、間隔を隔てて突き合わされた延在部３２，３５２に対し、上方横片部２１を下にして下方から嵌合状に臨ませ、その状態で支持材２を回転させて上方横片部２１を延在部３２，３５２の上方に位置させて跨るように配設すればよい。
【００４３】
前記縦片部２２は、前記上方横片部２１の左右の側端から下方へ延在する二片の略鉛直状片を指し、前記下方横片部２３は、該縦片部２２，２２の下端からそれぞれ略水平状に延在する横片を指す。
【００４４】
前記支持材２，２間に取り付けられる天井化粧材１は、下面側が化粧面となる化粧面部１１と、該化粧面部１１の左右からそれぞれ下方へ延在して少なくとも取付状態では前記支持材２の下方横片部２３の上方に配置される押し込み片部１２，１２と、該押し込み片部１２の下端に設けられる嵌合部１３と、を有する左右対称状の構成である。
なお、配設以前の天井化粧材１は、左右の押し込み片部１２，１２がもっと広く拡開するように成形されている。
【００４５】
前記化粧面部１１は、側面視が略平坦状（略水平状）に成形されているが、その前端及び後端を、折り上げ（折り上げ片１１１）た形状である。なお、この第１実施例では天井化粧材１をパンチングメタル製の成形板とした（単一材料にて形成される）が、パンチングメタルの孔部は部材等が通過しにくいものを用いているので、仮に、母屋上で屋根等の修復、改修工事を行っても、各種の金具類等の落下物を受支することができ、安全なものとなる。
【００４６】
この天井化粧材１の押し込み片部１２，１２は、前記化粧面部１１を傾斜状に折り曲げてその下端を内側へ折り返し状に折曲した略く字状の部位であって、この押し込み片部１２は、取付状態では前記支持材２の下方横片部２３の上方に押し込まれる部位であり、その下端には嵌合部１３が延設されている。
【００４７】
前述のように配設以前の押し込み片部１２，１２は、その配設後の拡開角度より更に広く成形されているが、この天井化粧材１を鉛直状に押し上げると、前記支持材２の下方横片部２３の上向き片２３１に押し込み片部１２が当接しつつ押し上げられるため、この押し込み片部１２は、弾性に抗して内側へ変形しつつ押し上げられる状態となる。そして、押し込み片部１２，１２の下端が上向き片２３１を過ぎた時点で、弾性回復力が作用し、嵌合部１３が上向き片２３１に弾性的に嵌合する状態となる。
なお、前記嵌合部１３，１３には、それぞれ側方からビス１ｂが打ち込まれ、上向き片２３１に一体的に固定されている。
【００４８】
なお、前述のように前記Ｈ型鋼４Ａの上面側には、略門状のタイトフレーム５が固定され、更にその上面には裏面側に裏打ち材６ｂが配された外装材６Ａが配設されているが、符号６１は外装材６Ａの底部を、６２は斜面部を、６３は頂部を示し、６４は頂部６３にタイトフレーム５から突出させたボルト６５に締着したナットを示している。
【００４９】
図２は、前記Ｈ型鋼４Ａの上面側に配設された屋根構造（外装材６Ａ等）を省略して示した斜視図であり、図２（ａ）には、前記Ｈ型鋼４Ａの上フランジ４２に前記第１取付具３Ａの連結部３１が配され、締着具３３を締め付けて取り付けられ、該第１取付具３Ａに支持材２が跨がるように配設され、固着具２ｂにて一体的に固定されている状態を示している。また、図２（ｂ）には、隣り合う支持材２，２間に天井化粧材１を配設した状態を示している。
【００５０】
このような部材により構成される本発明の天井化粧構造は、Ｈ型鋼４Ａや溝型鋼４Ｂに対し、適宜に取付具３Ａ，３Ｂを固定することにより、型鋼４Ａ，４Ｂに直交状に延在するように複数の支持材２が取り付けられ、隣り合う支持材２，２間に天井化粧材１が取り付けられた構成であり、天井化粧材１の化粧面部１１に、予め或いは施工時に各種の天井板や落下防止板等を載置させた状態で容易に固定することができるため、化粧面部に載置させる天井板自体又は落下防止板自体には殆ど制限がなく、例えば天井板自体に成形誤差等があっても適用することができる。
【００５１】
しかもこの第１実施例では、天井化粧材１の化粧面部１１の上面に、即ち折り上げ片１１１，１１１間にボード状の天井板を配設することもできるため、断熱性や吸音性、防火性等を備える各種の機能性天井板を用いることもできる。
また、この第１実施例では、ハット型の支持材２を取付具３Ａに対して「回転」で配設でき、その状態で仮設を行え、作業が容易である。
【００５２】
図３（ａ）に示す第２実施例の天井化粧構造は、前記溝型鋼４Ｂに対して前記第２取付具３Ｂを取り付け、隣り合う第２取付具３Ｂ，３Ｂ間に断面ハット型の支持材２を取り付け、隣り合う支持材２，２間に天井化粧材１を取り付けた構成である。
なお、図３（ｂ）の中央には前記第２取付具３Ｂに代えて第３取付具３Ｃを取り付けた部分を示しており、これらの取付具３Ｂ，３Ｃとの間に断面ハット型の支持材２を取り付け、隣り合う支持材２，２間に天井化粧材１を取り付けている。
また、これらの支持材２や天井化粧材１については、前記第１実施例と同様であるから図面に同一符号を付して説明を省略する。
【００５３】
前記第３取付具３Ｃは、水平片３４と、該水平片３４の下面側に略Ｌ字状に折曲された下方片３６と、添設片３８と、を接続具（ボルト，ナット）３７，３９にて接続してなり、先端が薄肉状の上フランジ４２ｂに固定する構成であって、前記水平片３４の両端が支持材２を取り付ける延在部３４１，３４２である。
この構成の第３取付具３Ｃを前記溝型鋼４Ｂに取り付けるには、接続具３７，３９を緩めた状態で、下方片３６の縦片をウエブ４１ｂに沿わせると共に添設片３８の非重合片を上フランジ４２ｂの下面に沿わせた状態で接続部３７，３９を締め付けることにより一体的に固定する。
【００５４】
なお、前記溝型鋼４Ｂの上面側には、略門状のタイトフレーム５Ｂが固定され、更にその上面には裏面側に裏打ち材６ｂが配された外装材６Ｃが配設されているが、これらのタイトフレーム５Ｂ及び外装材６Ｃは、前記第１実施例におけるタイトフレーム５及び外装材６Ａに比べて高さ及び幅がそれぞれ小さく形成されている。また、符号６１ｃは外装材６Ｃの底部を、６２ｃは斜面部を、６３ｃは頂部を示し、６４は頂部６３ｃにタイトフレーム５Ｂから突出させたボルト６５に締着したナットを示し、４Ｄは前記Ｈ型鋼４Ａや溝型鋼４Ｂに対して直交状に配された梁材（型鋼）であり、４Ｃはその梁材４Ｄに固定したＬ字鋼であって、前記溝型鋼４Ｂに連絡させている。
【００５５】
図４は、前記溝型鋼４Ｂの上面側に配設された屋根構造（外装材６Ｂ等）を省略して示した斜視図であり、図４（ａ）には、一方（左手前側）の前記溝型鋼４Ｂの上フランジ４２ｂに第２取付具３Ｂを、他方（右奥側）の前記溝形鋼４Ｂの上フランジ４２ｂに前記第３取付具３Ｃを取り付け、該取付具３Ｂ，３Ｃに架け渡して前記支持材２が配設された状態を示し、図４（ｂ）には、更に隣り合う支持材２，２間に前記天井化粧材１を配設した状態を示している。
【００５６】
図５は、前記図３（ｂ）と同様に両端に配置された溝型鋼４Ｂ，４Ｂにはそれぞれ前記第２取付具３Ｂが取り付けられ、中央に配置された溝型鋼４Ｂには前記第３取付具３Ｃが取り付けられている。
この状態は、支持材２及び天井化粧材１を配設する前の状態であるが、取付具３Ｂ，３Ｃに形成される横片状の延在部３４２，３５２が支持材２の取付部となるため、前述のようにハット状の支持材２では、上方横片部２１を下にして下方から嵌合状に臨ませ、その状態で支持材２を回転させて（上方横片部２１を延在部３４２，３５２の上方に位置させて跨るように）配設でき、その状態で仮設を行うことができ、作業が容易である。
【００５７】
したがって、この第２実施例でも、前記第１実施例と同様の効果を奏することができ、溝型鋼４Ｂに対し、適宜に取付具３Ｂ，３Ｃを固定することにより、溝型鋼４Ｂに直交状に延在するように複数の支持材２を取り付けることができ、隣り合う支持材２，２間に天井化粧材１を取り付けた構成であり、天井化粧材１の化粧面部１１に、予め或いは施工時に各種の天井板や落下防止板等を載置させた状態で容易に固定することができるため、化粧面部に載置させる天井板自体又は落下防止板自体には殆ど制限がなく、例えば天井板自体に成形誤差等があっても適用することができる。
【符号の説明】
【００５８】
１  天井化粧材
１１  化粧面部
１２  押し込み片部
１３  嵌合部
２  支持材
２１  上方横片部
２２  縦片部
２３  下方横片部
２３１  上向き片
３Ａ  第１取付具
３Ｂ  第２取付具
３Ｃ  第３取付具
３１  連結部
３２，３４１，３４２，３５２  延在部
４Ａ  Ｈ型鋼
４Ｂ  溝型鋼
４１，４１ｂ  ウエブ
４２，４２ｂ  下フランジ
５  タイトフレーム
６Ａ，６Ｃ  外装材
【図１】
0006621373.tif 000002
【図２】
0006621373.tif 000003
【図３】
0006621373.tif 000004
【図４】
0006621373.tif 000005
【図５】
0006621373.tif 000006